(57)【要約】【課題】異なるシステムから送信された信号を受信し、コンピュータまたは表示装置に表示することができるセットトップボックスを提供する。【解決手段】セットトップボックス１は、ＨＳＤＰＡ移動体通信プロトコルで送信された信号を受信する第１の受信器１１と、デジタル映像配信プラットフォームから送信された信号を受信し、復調信号を出力する第２の受信器１２と、を含む。第２の受信器１２には、第２の受信器１２から出力された復調信号を復号化し、復号信号を出力するデコーダ１３が接続される。第１の受信器１１およびデコーダ１３には、マイクロプロセッサ１４が接続される。マイクロプロセッサ１４には、予め準備された表示装置２が接続される表示装置接続ポート１５と、予め準備されたコンピュータ３が接続されるコンピュータ接続ポート１６と、が接続される。【選択図】図１
0003154331.tif 000002
【実用新案登録請求の範囲】
【請求項１】
デジタル映像信号を受信し、その信号を表示装置に送信して表示するセットトップボックスであって、
前記セットトップボックスは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動体通信プロトコルで送信された信号を受信する第１の受信器と、デジタル映像（Ｄｉｇｉｔａｌ  Ｖｉｄｅｏ  Ｂｒｏａｄｃａｓｔｉｎｇ：ＤＶＢ）配信プラットフォームから送信された信号を受信し、復調信号を出力する第２の受信器と、を含み、
前記第２の受信器には、第２の受信器から出力された復調信号を復号化し、復号信号を出力するデコーダが接続され、前記第１の受信器および前記デコーダには、マイクロプロセッサが接続され、前記マイクロプロセッサには、予め準備された表示装置が接続される表示装置接続ポートが接続され、前記マイクロプロセッサは、制御を受け、前記第１の受信器または前記デコーダが出力した信号を前記表示装置に送信して表示することを特徴とする一体型セットトップボックス。
【請求項２】
前記マイクロプロセッサには、予め準備されたコンピュータが接続されるコンピュータ接続ポートがさらに接続されることを特徴とする請求項１記載の一体型セットトップボックス。
【請求項３】
前記第１の受信器は、３．５Ｇ無線ネットワークカードであることを特徴とする請求項１記載の一体型セットトップボックス。
【請求項４】
前記第２の受信器が受信する信号は、欧州規格（Ｄｉｇｉｔａｌ  Ｖｉｄｅｏ  Ｂｒｏａｄｃａｓｔｉｎｇ  Ｔｅｒｒｅｓｔｒｉａｌ：ＤＶＢ−Ｔ）信号、北米規格（Ａｄｖａｎｃｅｄ  Ｔｅｌｅｖｉｓｉｏｎ  Ｓｙｓｔｅｍｓ  Ｃｏｍｍｉｔｔｅｅ：ＡＴＳＣ）信号または日本規格（Ｔｅｒｒｅｓｔｒｉａｌ  Ｉｎｔｅｇｒａｔｅｄ  Ｓｅｒｖｉｃｅｓ  Ｄｉｇｉｔａｌ  Ｂｒｏａｄｃａｓｔｉｎｇ：ＩＳＤＢ−Ｔ）信号であることを特徴とする請求項１記載の一体型セットトップボックス。
【請求項５】
前記マイクロプロセッサには、さらに、映像信号を記憶する記憶媒体が接続されることを特徴とする請求項１記載の一体型セットトップボックス。
【請求項６】
前記記憶媒体は、ハードディスクまたはメモリーカードであることを特徴とする請求項５記載の一体型セットトップボックス。
【考案の詳細な説明】
【技術分野】
【０００１】
本考案は、一体型セットトップボックスに関し、特に、デジタル映像信号を受信し、その信号を表示装置に送信して表示することができるセットトップボックスに関する。
【背景技術】
【０００２】
従来のアナログテレビは、アナログ信号を受信し、映像および音声を表示する。しかし、アナログ方式では、信号が伝送される過程において、干渉を受けやすいため、画面の鮮明度、耐ノイズ性などが低減する。このため、デジタルテレビ（Ｄｉｇｉｔａｌ  Ｔｅｌｅｖｉｓｉｏｎ：ＤＴＶ）が推進され、すでに徐々に普及している。デジタルテレビが推進される主な理由としては、アナログ信号では、送信処理される過程において、多くのノイズが蓄積し、除去できないのに対し、デジタル信号では、これらのノイズを除去し、本来の信号の品質を維持することができるため、映像効果が自然で、非常に優れていることが挙げられる。現在、デジタルテレビを受信する方式は、セットトップボックスをテレビ装置に接続し、セットトップボックスを介し、デジタル信号の映像および音声をテレビ装置に表示するものが多い。
【０００３】
ネットワーク時代が到来し、その通信速度は、益々高速化されている。３．５Ｇネットワークとも称されるＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動体通信プロトコルは、携帯電話インターネット機能を有し、携帯電話信号を受信することができる場所であれば、インターネットサービスを利用することができる。また、インターネット利用可能領域は、通常の状況下においては、制限が殆どない。
【０００４】
しかし、ネットワークを利用して信号を受信する場合と、セットトップボックスを利用して信号を受信する場合とでは、異なるシステムを使用する必要があるため、不便である上、コストが多くかかっていた。このため、この問題を解決する方法は、当業者が解決したい課題であった。
【先行技術文献】
【特許文献】
【０００５】
【特許文献１】特許公表平１１−５１１９２４号公報
【考案の概要】
【考案が解決しようとする課題】
【０００６】
本考案の第１の目的は、異なるシステムから送信された信号を受信し、ユーザがどの信号を表示するか選択できるようにすることにより、便利に使用することができる一体型セットトップボックスを提供することにある。
本考案の第２の目的は、ユーザがコンピュータへの接続または表示装置への接続を選択できるようにすることにより、使用範囲を広げることができる一体型セットトップボックスを提供することにある。
【課題を解決するための手段】
【０００７】
上述の課題を解決するため、本考案のセットトップボックスは、ＨＳＤＰＡ移動体通信プロトコルで送信された信号を受信する第１の受信器と、デジタル映像配信プラットフォームから送信された信号を受信し、復調信号を出力する第２の受信器と、を含む。第２の受信器には、第２の受信器から出力された復調信号を復号化し、復号信号を出力するデコーダが接続される。
【０００８】
上述の課題を解決するため、本考案のセットトップボックスは、第１の受信器および第２の受信器を含む。第２の受信器には、第２の受信器から出力された復調信号を復号化し、復号信号を出力するデコーダが接続される。第１の受信器およびデコーダには、マイクロプロセッサが接続され、マイクロプロセッサには、予め準備された表示装置が接続される表示装置接続ポートと、予め準備されたコンピュータが接続されるコンピュータ接続ポートと、が接続される。
すなわち、本考案の一体型セットトップボックスは下記の特徴を有する。
（１）デジタル映像信号を受信し、その信号を表示装置に送信して表示するセットトップボックスであって、
前記セットトップボックスは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動体通信プロトコルで送信された信号を受信する第１の受信器と、デジタル映像（Ｄｉｇｉｔａｌ  Ｖｉｄｅｏ  Ｂｒｏａｄｃａｓｔｉｎｇ：ＤＶＢ）配信プラットフォームから送信された信号を受信し、復調信号を出力する第２の受信器と、を含み、
前記第２の受信器には、第２の受信器から出力された復調信号を復号化し、復号信号を出力するデコーダが接続され、前記第１の受信器および前記デコーダには、マイクロプロセッサが接続され、前記マイクロプロセッサには、予め準備された表示装置が接続される表示装置接続ポートが接続され、前記マイクロプロセッサは、制御を受け、前記第１の受信器または前記デコーダが出力した信号を前記表示装置に送信して表示することを特徴とする。
（２）前記マイクロプロセッサには、予め準備されたコンピュータが接続されるコンピュータ接続ポートがさらに接続されることを特徴とする（１）記載の一体型セットトップボックス。
（３）前記第１の受信器は、３．５Ｇ無線ネットワークカードであることを特徴とする（１）記載の一体型セットトップボックス。
（４）前記第２の受信器が受信する信号は、欧州規格（Ｄｉｇｉｔａｌ  Ｖｉｄｅｏ  Ｂｒｏａｄｃａｓｔｉｎｇ  Ｔｅｒｒｅｓｔｒｉａｌ：ＤＶＢ−Ｔ）信号、北米規格（Ａｄｖａｎｃｅｄ  Ｔｅｌｅｖｉｓｉｏｎ  Ｓｙｓｔｅｍｓ  Ｃｏｍｍｉｔｔｅｅ：ＡＴＳＣ）信号または日本規格（Ｔｅｒｒｅｓｔｒｉａｌ  Ｉｎｔｅｇｒａｔｅｄ  Ｓｅｒｖｉｃｅｓ  Ｄｉｇｉｔａｌ  Ｂｒｏａｄｃａｓｔｉｎｇ：ＩＳＤＢ−Ｔ）信号であることを特徴とする（１）記載の一体型セットトップボックス。
（５）前記マイクロプロセッサには、さらに、映像信号を記憶する記憶媒体が接続されることを特徴とする（１）記載の一体型セットトップボックス。
（６）前記記憶媒体は、ハードディスクまたはメモリーカードであることを特徴とする（５）記載の一体型セットトップボックス。
【考案の効果】
【０００９】
本考案のセットトップボックスは、表示装置またはコンピュータに接続して使用することができる上、異なる種類の信号を受信できるため、便利に使用することができる。また、第１の受信器またはデコーダが生成した信号を記憶媒体に記憶することができるため、実用性が高い。
【図面の簡単な説明】
【００１０】
【図１】本考案の一実施形態による一体型セットトップボックスを示すブロック図である。
【考案を実施するための形態】
【００１１】
本考案の目的、特徴および効果を示す実施形態を図面に沿って詳細に説明する。
【００１２】
図１を参照する。図１に示すように、本実施形態によるセットトップボックス１には、第１の受信器１１および第２の受信器１２が設けられる。第２の受信器１２には、デコーダ１３が接続される。第１の受信器１１およびデコーダ１３には、マイクロプロセッサ１４が接続される。マイクロプロセッサ１４には、表示装置接続ポート１５、コンピュータ接続ポート１６および記憶媒体１７が接続される。
【００１３】
第１の受信器１１は、３．５Ｇ無線ネットワークカードとすることができる。第１の受信器１１は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動体通信プロトコルで送信された信号を受信することができる。
【００１４】
第２の受信器１２は、デジタル映像（Ｄｉｇｉｔａｌ  Ｖｉｄｅｏ  Ｂｒｏａｄｃａｓｔｉｎｇ：ＤＶＢ）配信プラットフォームから送信された信号を受信し、復調信号を出力することができる。ここで、前述の信号は、欧州規格（Ｄｉｇｉｔａｌ  Ｖｉｄｅｏ  Ｂｒｏａｄｃａｓｔｉｎｇ  Ｔｅｒｒｅｓｔｒｉａｌ：ＤＶＢ−Ｔ）信号、北米規格（Ａｄｖａｎｃｅｄ  Ｔｅｌｅｖｉｓｉｏｎ  Ｓｙｓｔｅｍｓ  Ｃｏｍｍｉｔｔｅｅ：ＡＴＳＣ）信号または日本規格（Ｔｅｒｒｅｓｔｒｉａｌ  Ｉｎｔｅｇｒａｔｅｄ  Ｓｅｒｖｉｃｅｓ  Ｄｉｇｉｔａｌ  Ｂｒｏａｄｃａｓｔｉｎｇ：ＩＳＤＢ−Ｔ）信号とすることができる。
【００１５】
デコーダ１３は、第２の受信器１２から送信された復調信号を受信することができ、この復調信号を復号化し、復号信号を生成することができる。
【００１６】
マイクロプロセッサ１４は、第１の受信器１１およびデコーダ１３から送信された信号を受信することができ、その何れかを選択して出力することができる。
【００１７】
表示装置接続ポート１５には、表示装置２を電気的に接続することができる。
【００１８】
コンピュータ接続ポート１６には、コンピュータ３を電気的に接続することができる。
【００１９】
記憶媒体１７は、ハードディスクまたはメモリーカードである。
【００２０】
ユーザが表示装置２にデジタル映像を表示させたいとき、先ず、セットトップボックス１の表示装置接続ポート１５に表示装置２を接続する。このとき、第２の受信器１２は、デジタル映像配信プラットフォームから送信された信号を受信し、復調信号をデコーダ１３に出力する。デコーダ１３は、この復調信号を復号化し、復号信号を生成してマイクロプロセッサ１４に送信する。マイクロプロセッサ１４は、この復号信号を表示装置接続ポート１５から表示装置２に送信し、表示する。また、マイクロプロセッサ１４は、第１の受信器１１が受信した信号を表示装置２に送信して表示することもできる。マイクロプロセッサ１４は、制御を受け、第１の受信器１１またはデコーダ１３が生成した信号を表示装置２またはコンピュータ３に送信することができる。マイクロプロセッサ１４の制御は、ユーザがリモコンを操作することによって行うことができる。
【００２１】
また、ユーザがコンピュータ３にデジタル映像を表示させたいとき、先ず、セットトップボックス１のコンピュータ接続ポート１６にコンピュータ３を接続する。次に、マイクロプロセッサ１４を制御し、第１の受信器１１またはデコーダ１３が生成した信号をコンピュータ３に送信し、表示する。
【００２２】
記憶媒体１７には、第１の受信器１１またはデコーダ１３が生成した信号を記憶することができる。これにより、ユーザが番組を見られないとき、番組を録画がすることができる。或いは、ユーザが第１の受信器１１が生成した信号を見ているとき、デコーダ１３が生成した信号を記憶することができる。これにより、便利に使用することができる。
【００２３】
以上のように、本実施形態によるセットトップボックス１は、表示装置２またはコンピュータ３に接続して使用することができる。さらに、使用するとき、異なる種類の信号を受信できるため、便利に使用することができる。また、ユーザは、第１の受信器１１またはデコーダ１３が生成した信号を記憶媒体１７に記憶することができるため、実用性が高い。
【符号の説明】
【００２４】
１  セットトップボックス
１１  第１の受信器
１２  第２の受信器
１３  デコーダ
１４  マイクロプロセッサ
１５  表示装置接続ポート
１６  コンピュータ接続ポート
１７  記憶媒体
２  表示装置
３  コンピュータ
【図１】
0003154331.tif 000003